(57)【特許請求の範囲】
【請求項１】
蚊取線香を収容して燃焼させる容器本体と、
この容器本体に対して第１のヒンジを介して開閉可能に接続され、閉蓋状態で容器本体を密閉する外蓋と、
蚊取線香を燻煙する半開位置に前記外蓋を保持するストッパと、
容器本体に支持され、蚊取線香を載置する受け部材と、
前記第１のヒンジ側に設けられた支軸によって回動可能に支持された第２のヒンジと、
この第２のヒンジに取り付けられているとともに通気性を有し、前記受け部材に被せる中蓋と、
前記中蓋を外蓋の開蓋動作に連動させて開く連動機構と
を備えることを特徴とする蚊取線香の燻煙器。
【請求項２】
前記連動機構が、外蓋を少なくとも半開位置に開いた時点で前記第２のヒンジを押圧して前記支軸を中心として回動させる押圧部を備える請求項１記載の蚊取線香の燻煙器。
【請求項３】
受け部材に載置した蚊取線香を押さえ込む位置に前記中蓋を保持するロック部材を備える請求項１記載の蚊取線香の燻煙器。
【発明の詳細な説明】
【０００１】
【発明の属する技術分野】
この発明は、蚊取線香の燻煙器に関する。
【０００２】
【従来の技術】
従来、蚊取線香の燻煙器として、トレー状の容器本体の内部に、蚊取線香を載置するための金網を配置し、この容器本体に、上面に開口部を有する安全蓋を被せたものが代表例として知られている（例えば実開昭４７−５７５４号公報参照）。
ところが、前記燻煙器は、燻煙が阻害されたり、煙に含まれるタールが多量に付着したりすることのないように、安全蓋の上面を広く開口しておく必要があるので、燻煙中において布団や毛布等が覆い被さった場合に、これら布団等が焦げてしまうおそれがあった。
【０００３】
このような問題点を解消するために、本願出願人は、蚊取線香の燻煙中に布団が覆い被さると、蓋が閉じて蚊取線香を消すことができる燻煙器を提案した（特開平８−１０３１９８号公報参照）。この燻煙器は、図７に示すように、蚊取線香を燃焼させる容器本体１０１に、閉蓋状態で容器本体１０１を密閉可能な外蓋１０２と、蚊取線香Ｋを容器本体１０１内に載置するための受け部材１０３と、この受け部材１０３に被せる中蓋１０４とを取り付けたものである。
【０００４】
前記外蓋１０２は、容器本体１０１に対してヒンジ１０５を介して回動開閉可能に取り付けられている。また、前記中蓋１０４は、受け部材１０３に対してヒンジ１０６を介して開閉可能に連結されており、これら中蓋１０４及び受け部材１０３は、容器本体１０１に対して回動自在に取り付けられた挟持部材１０７に対して抜き取り可能に差し込まれている。
【０００５】
【発明が解決しようとする課題】
前記従来の燻煙器は、容器本体１０１に蚊取線香Ｋをセットする場合に、受け部材１０３と中蓋１０４とを、挟持部材１０６から引き抜いてセットすることができるので、蚊取線香Ｋを容易かつ迅速にセットすることができる。しかし、この場合、受け部材１０３と中蓋１０４とを、挟持部材１０６から引き抜いたり、挟持部材１０６に差し込んだりする作業が必要であるので、蚊取線香Ｋをセットする作業をさらに迅速化することが困難であった。
この発明は前記問題点に鑑みてなされたものであり、蚊取線香を容器本体に対してさらに迅速にセットすることができる蚊取線香の燻煙器を提供することを目的とする。
【０００６】
【課題を解決するための手段】
前記目的を達成するためのこの発明の蚊取線香の燻煙器は、蚊取線香を収容して燃焼させる容器本体と、この容器本体に対して第１のヒンジを介して開閉可能に接続され、閉蓋状態で容器本体を密閉する外蓋と、蚊取線香を燻煙する半開位置に前記外蓋を保持するストッパと、容器本体に支持され、蚊取線香を載置する受け部材と、前記第１のヒンジ側に設けられた支軸によって回動可能に支持された第２のヒンジと、この第２のヒンジに取り付けられているとともに通気性を有し、前記受け部材に被せる中蓋と、前記中蓋を外蓋の開蓋動作に連動させて開く連動機構とを備えることを特徴とするものである。
この蚊取線香の燻煙器によれば、連動機構によって前記中蓋を外蓋の開蓋動作に連動させて開くことができ、この状態で受け部材に蚊取線香を載置した後、中蓋を回動復帰させて再び受け部材に被せるだけで、蚊取線香を容器本体にセットすることができる。
【０００７】
前記連動機構は、外蓋を少なくとも半開位置に開いた時点で前記第２のヒンジを押圧して前記支軸を中心として回動させる押圧部を備えるのが好ましい（請求項２）。
この場合には、前記押圧部により、外蓋を少なくとも半開位置に開いた時点で第２のヒンジを前記支軸を中心として回動させることができ、これにより、前記中蓋を外蓋の開蓋動作に連動させて開くことができる。
【０００８】
前記蚊取線香の燻煙器は、受け部材に載置した蚊取線香を押さえ込む位置に前記中蓋を保持するロック部材を備えるのが好ましい（請求項３）。
この場合には、中蓋によって蚊取線香を押さえ込むことができるので、当該蚊取線香が遊動するのを防止することができる。
【０００９】
【発明の実施の形態】
以下この発明の実施の形態について添付図面を参照しながら詳述する。
図１はこの発明一実施形態に係る蚊取線香の燻煙器を示す斜視図である。この蚊取線香の燻煙器は、容器本体１と、これを閉塞する外蓋２と、蚊取線香Ｋを載置するための受け部材３と、この受け部材３に被せる中蓋４と、前記外蓋２を容器本体１に回動開閉自在に取り付ける第１のヒンジ５と、前記中蓋４を容器本体１に回動開閉自在に取り付ける第２のヒンジ６と、前記中蓋４を外蓋２の開蓋動作に連動させて開く連動機構７とにより主要部が構成されている。
【００１０】
前記容器本体１及び外蓋２は、外観が貝殻状を呈するものであり、その内部は円形断面に形成されている。これら容器本体１及び外蓋２は、合成樹脂によって形成されている。
前記容器本体１及び外蓋２のそれぞれの開口縁１１，２１の第２のヒンジ６部分を除いた部分は、互いに密接可能な平坦面に形成されており、外蓋２を閉じた状態で、容器本体１をほぼ密閉できるようになっている。
なお、前記容器本体１の第２のヒンジ６に対応する部分には、当該第２のヒンジ６を挿通するための切り欠き１３が形成されている。さらに、外蓋２の回動先端側の上面には、外蓋２を回動操作するための摘み２４が突設されている（図６参照）。
【００１１】
受け部材３は、ガラス繊維等の不燃性の繊維からなるネット３１の周囲に、金属環３２を取り付けたものである（図２参照）。この受け部材３は、容器本体１の周壁に沿って所定間隔毎に設けられたリブ状の支承片１２によって、容器本体１の底面から浮揚した状態で支承されている。
中蓋４は受け部材３と同様に、ガラス繊維等の不燃性の繊維からなるネット４１の周囲に、金属環４２を取り付けたものであり、その外周は受け部材３に被せた際に、当該受け部材３の外周と合致する。
【００１２】
第１のヒンジ５は、容器本体１の外周に突設された一対の軸支部５１に支軸５２を架設し、この支軸５２に、外蓋２の周縁に突設された一対の連結部２２を回動自在に取り付けたものである。
この第１のヒンジ５には、蚊取線香Ｋを燻煙する半開位置に外蓋２を保持するストッパ８が内蔵されている（図３参照）。このストッパ８は、外蓋２を開く途中で、連結部２２に形成された係止突起８２を、前記一対の軸支部５１に突設されたストッパピン８１に係止させて外蓋２を半開位置に保持するものである。前記ストッパピン８１は、前記連結部２２の軸支部５１に対向する面に形成された環状溝２３に導入されており、この環状溝２３の径方向外方の内周壁に前記係止突起８２が一対隣設されている。したがって、外蓋２を前記半開位置まで開くと、各係止突起８２の相互間にストッパピン８１が弾撥的に導入され、これにより、外蓋２が当該半開位置に保持される（図３二点鎖線参照）。
なお、前記連結部２２の環状溝２３が形成された端面には、外蓋２の組み付け時に当該環状溝２３にストッパピン８１を導入するための溝２４が形成されている。また、前記外蓋２の半開位置は、これを閉じた状態から例えば６０゜〜７５゜開いた位置に設定されている。
【００１３】
第２のヒンジ６は矩形の板状片からなり、容器本体１の切り欠き１３を通して容器本体１の外部から内部に導入されている。この第２のヒンジ６の容器本体１の内部に位置する先端部には、前記中蓋４を挟持するための一対の挟持片６１が設けられている（図２参照）。また、第２のヒンジ６の容器本体１の外部に位置する後端側には、前記支軸５２が回動自在に挿通されており、これにより、前記中蓋４は第２のヒンジ６とともに支軸５２を中心に回動自在になっている。
【００１４】
容器本体１の内部の、第１のヒンジ５を配した位置と反対側の位置には、受け部材３に被せた中蓋４を、蚊取線香Ｋを押さえ込む位置に保持するためのロック部材９が設けられている。このロック部材９は、半円状の薄板からなるロック部９１と、容器本体１に立設された支柱１４に回動自在に取り付けられた軸止部９２と、前記ロック部９１に立設された摘み部９３とを一体形成した合成樹脂製のものである。前記ロック部９１は、支柱１４に対して偏芯しており、摘み部９３を掴んで容器本体１の内方へ向けることにより、当該受け部材３に被せた中蓋４の金属環４２部分を下方へ押圧して、中蓋４を蚊取線香Ｋを押さえ込んだ状態にロックすることができ、前記ロック部９１を容器本体１の外方へ向けることにより、中蓋４のロック状態を解除することができる（図４参照）。
【００１５】
図５を参照して、中蓋４を外蓋２の開蓋動作に連動させて開くための連動機構７は、第２のヒンジ６を前記支軸５２を中心として回動させる押圧部７１と、第２のヒンジ６の後端側（図５において支軸５１の左側）に設けられた受け部７２とにより構成されている。前記押圧部７１は外蓋２の一対の連結部２２の相互間に形成された舌片状のものであり、その先端側は第２のヒンジ６の後端部側に延びている。但し、押圧部７１の先端部は、外蓋２を閉じた状態で第２のヒンジ６から離反している。また、前記受け部７２は、押圧部７１の先端部の回動軌跡上に設けられており、外蓋２を半開位置に開いた時点で押圧部７１を受け止めることができる。したがって、外蓋２を半開位置よりもさらに大きく開くと、押圧部７１により受け部７２を押圧して、第２のヒンジ６を図５において反時計回りに回動させることができる（図５二点鎖線参照）。
【００１６】
以上の構成であれば、外蓋２を半開位置に開いておくことにより、受け部材３と中蓋４との間で挟み込んだ蚊取線香Ｋを、容器本体１内で燻煙させることができる（図１参照）。そして、就寝中等において、外蓋２に布団等が覆い被さった場合には、その重みによって外蓋２が閉じらて、容器本体１内が密閉されるので、燻煙中の蚊取線香Ｋを消すことができる。この結果、布団等が焦げたり発火したりするのを防止することができる。勿論、蚊取線香Ｋの燻煙中に前記外蓋２を意図的に閉じることにより、燻煙途中で蚊取線香Ｋを消すこともできる。
【００１７】
また、ロック部材９による中蓋４のロックを解除した状態で、外蓋２を半開位置よりもさらに大きく開くと、図６に示すように、連動機構７によって中蓋４を外蓋２とともに開くことができ、中蓋４の開蓋角度が９０゜を超えると、中蓋４はその自重によって外蓋２側に倒れて当該外蓋２に添った状態でさらに開き、外蓋２を閉蓋状態から１８０゜開くと、中蓋４についてもほぼ１８０゜開くことができる。そして、この状態で受け部材３に蚊取線香Ｋを載置した後、中蓋３を回動復帰させて再び受け部材３に被せることにより、蚊取線香Ｋを容器本体１にセットすることができる。したがって、容器本体１に対して蚊取線香Ｋを極めて迅速にセットすることができる。
【００１８】
さらに、ロック部材９によって中蓋４を蚊取線香Ｋを押さえ込んだ状態にロックすることができるので、受け部材３上の蚊取線香Ｋが遊動するのを防止することができる。このため、燻煙器を足で引っ掛ける等、燻煙器に衝撃が作用した場合でも、燻煙中の蚊取線香Ｋが器外に飛び出すのを防止することができる。
なお、蚊取線香Ｋが燃焼した後に受け部材３上に残る灰は、容器本体１から受け部材３を取り出すことにより、容易に廃棄することができる。また、中蓋４に付着した灰については、中蓋４を第２のヒンジ６の挟持片６１から取り外すことにより、容易に除去することができる。
【００１９】
前記連動機構７を構成する押圧部７１は、外蓋２が半開位置よりもある程度大きく開いた時点で、第２のヒンジ６に当接してこれを回動させるものであってもよい。また、前記連動機構７は、押圧部７１に代えて、外蓋２と中蓋４とを連結するチェーンやリンクで構成してもよい。
【００２０】
【発明の効果】
以上のように、請求項１記載の蚊取線香の燻煙器によれば、連動機構によって中蓋を外蓋の開蓋動作に連動させて開くことができ、この状態で受け部材に蚊取線香を載置した後、中蓋を回動復帰させて再び受け部材に被せるだけで、蚊取線香を容器本体にセットすることができるので、容器本体に対して蚊取線香を極めて迅速にセットすることができる。
【００２１】
請求項２記載の蚊取線香の燻煙器によれば、前記連動機構が、外蓋を少なくとも半開位置に開いた時点で前記第２のヒンジを押圧して、当該第２のヒンジを前記支軸を中心として回動させるものであるので、連動機構の構造を簡素にすることができる。
【００２２】
請求項３記載の蚊取線香の燻煙器によれば、ロック部材によって中蓋をロックして、蚊取線香が遊動するのを防止することができるので、燻煙器に衝撃が加わった場合でも、容器本体から蚊取線香が飛び出すのを確実に防止することができる。
【図面の簡単な説明】
【図１】この発明の蚊取線香の燻煙器の一実施形態を示す斜視図である。
【図２】中蓋を取り外した状態を示す斜視図である。
【図３】ストッパを示す断面図である。
【図４】ロック部材を示す要部拡大斜視図である。
【図５】連動機構を示す断面図である。
【図６】燻煙器の側面図である。
【図７】従来例を示す斜視図である。
【符号の説明】
１    容器本体
２    外蓋
３    受け部材
４    中蓋
５    第１のヒンジ
５２  支軸
６    第２のヒンジ
７    連動機構
７１  押圧部
８    ストッパ
９    ロック部材
Ｋ    蚊取線香
【図１】
0004088387.tif 000002
【図２】
0004088387.tif 000003
【図３】
0004088387.tif 000004
【図４】
0004088387.tif 000005
【図５】
0004088387.tif 000006
【図６】
0004088387.tif 000007
【図７】
0004088387.tif 000008